(57)【要約】【課題】  データを多く記憶でき、かつ、正常に動作可能な温度範囲の広い安価なデータ処理装置を提供する。【解決手段】  計器装置１００は、言語データＡを記憶する第１記憶部１２０と、前記第１記憶部１２０よりも動作保証温度範囲の上限値が低い、または、下限値が高く、多言語データを記憶する第２記憶部１３０と、第２記憶部１３０の多言語データのうちの少なくとも１つの言語データを第１記憶部１２０に記憶させる制御部１１０と、第２記憶部１３０の温度を計測する温度計測部１６０と、を備える。制御部１１０は、第２記憶部１３０の動作保証温度範囲外である場合には、当該記憶させることを中断し、ユーザの要求に応じて、当該動作保証温度範囲内となると、当該記憶させることを再開する。【選択図】  図６
2015046077.tif 000002
【特許請求の範囲】
【請求項１】
正常な動作が可能な温度範囲を保証する第１の動作保証温度範囲を有し、複数のデータを複数のグループにグループ化したデータグループの内、少なくとも１グループを第１のグループとして記憶する第１記憶部と、
正常な動作が可能な温度範囲を保証する、前記第１の動作保証温度範囲よりも上限値が低い、または、前記第１の動作保証温度範囲よりも下限値が高い第２の動作保証温度範囲を有し、
前記データグループの内、少なくとも前記第１のグループを除くグループを含む
第２のグループを記憶する第２記憶部と、
前記第２記憶部に記憶された前記第２のグループのうちの少なくとも１つのグループを、第３のグループとして前記第１記憶部に記憶させ、前記第１の記憶部に記憶させた前記第３のグループに含まれるデータを用いて所定の処理を行う制御部と、
前記第２記憶部又はその周囲の温度を計測する温度計測部と、を備え、
前記制御部は、前記第３のグループを前記第１記憶部に記憶させるときに、前記温度計測部によって計測された温度が前記第２の動作保証温度範囲の上限値を超える、または、下限値を下回る場合には、当該記憶させることを中断し、
前記制御部は、前記第３のグループを前記第１記憶部に記憶させることを中断しているときに、前記温度計測部によって計測された温度が前記第２の動作保証温度範囲に収まった場合には、当該記憶させることを再開する
ことを特徴とするデータ処理装置。
【請求項２】
前記グループは、言語毎のグループであり、
前記グループに含まれるデータは、文字列を表す文字データから構成される言語データである、
ことを特徴とする請求項１に記載のデータ処理装置。
【請求項３】
報知手段を備え、
前記制御部は、前記第３のグループを前記第１記憶部に記憶させることを保留したとき、または／および、当該記憶させることを再開したとき、に前記報知手段によってその旨を報知する
ことを特徴とする請求項１または請求項２に記載のデータ処理装置。
【請求項４】
前記第１記憶部の記憶容量よりも前記第２記憶部の記憶容量の方が大きい、
ことを特徴とする請求項１〜３のいずれか１項に記載のデータ処理装置。
【請求項５】
前記データ処理装置は、乗り物内部に搭載される、
ことを特徴とする請求項１〜４のいずれか１項に記載のデータ処理装置。
【発明の詳細な説明】
【技術分野】
【０００１】
本発明は、データを多く記憶でき、かつ、正常に動作可能な温度範囲の広い安価なデータ処理装置に関する。
【背景技術】
【０００２】
特許文献１には、車両の各種情報を表示するマルチディスプレイを備えた車両情報提供装置であって、前記マルチディスプレイに表示する表示データが少なくとも記憶された記憶手段と、前記記憶手段に記憶された前記表示データを用いて所定の表示が得られるように表示制御する制御手段と、前記制御手段に設けられ、前記制御手段と外部機器とを接続可能とする接続部材と、を備え、前記表示データは、少なくとも一カ国の言語からなる文字データと、前記文字データ以外の共通表示データとを少なくとも有し、前記制御手段は、前記外部機器からの指令に基づいて前記文字データのみを他の言語の文字データに書き換えてなる車両情報提供装置が開示されている。
【先行技術文献】
【特許文献】
【０００３】
【特許文献１】特開２００７−１２１６７３号公報
【発明の概要】
【発明が解決しようとする課題】
【０００４】
しかし、特許文献１の車両情報提供装置では、記憶手段に記憶された文字データと異なる言語の文字データに書き換えるたびに外部機器が必要となるため、この書き換えが面倒であった。このようなことを考えると、外部機器が記憶する文字データを車両情報提供装置に記憶させた方が良いが、このような場合には、車両情報提供装置の記憶手段の記憶容量を大きくする必要がある。また、特許文献１の車両情報提供装置は、内部が高温又は低温になりやすい車両に搭載されるため、車両情報提供装置の記憶手段としては、正常に動作できる温度を保証する動作保証温度範囲の広い記憶装置を採用する必要がある。一般的に、記憶容量が大きく、この動作保証温度範囲が広い記憶装置は高価になってしまう。つまり、データを多く記憶でき、かつ、正常に動作可能な温度範囲が広い車両情報提供装置
は、一般に高価になってしまうという問題があった。このよう問題点は、車両情報提供装置に限らず、記憶部を備えるデータ処理装置一般に言えることである。
【０００５】
本発明は、上記実情に鑑みてなされたものであり、データを多く記憶でき、かつ、正常に動作可能な温度範囲の広い安価なデータ処理装置を提供することを目的とする。
【課題を解決するための手段】
【０００６】
正常な動作が可能な温度範囲を保証する第１の動作保証温度範囲を有し、複数のデータを複数のグループにグループ化したデータグループの内、少なくとも１グループを第１のグループとして記憶する第１記憶部と、正常な動作が可能な温度範囲を保証する、前記第１の動作保証温度範囲よりも上限値が低い、または、前記第１の動作保証温度範囲よりも下限値が高い第２の動作保証温度範囲を有し、前記データグループの内、少なくとも前記第１のグループを除くグループを含む第２のグループを記憶する第２記憶部と、前記第２記憶部に記憶された前記第２のグループのうちの少なくとも１つのグループを、第３のグループとして前記第１記憶部に記憶させ、前記第１の記憶部に記憶させた前記第３のグループに含まれるデータを用いて所定の処理を行う制御部と、前記第２記憶部又はその周囲の温度を計測する温度計測部と、を備え、前記制御部は、前記第３のグループを前記第１記憶部に記憶させるときに、前記温度計測部によって計測された温度が前記第２の動作保証温度範囲の上限値を超える、または、下限値を下回る場合には、当該記憶させることを中断し、前記制御部は、前記第３のグループを前記第１記憶部に記憶させることを中断しているときに、前記温度計測部によって計測された温度が前記第２の動作保証温度範囲に収まった場合には、当該記憶させることを再開する。
【０００７】
前記グループは、言語毎のグループであり、前記グループに含まれるデータは、文字列を表す文字データから構成される言語データである。
【０００８】
報知手段を備え、前記制御部は、前記第３のグループを前記第１記憶部に記憶させることを保留したとき、または／および、当該記憶させることを再開したとき、に前記報知手段によってその旨を報知する。
【０００９】
前記第１記憶部の記憶容量よりも前記第２記憶部の記憶容量の方が大きい。
【００１０】
前記データ処理装置は、乗り物内部に搭載される。
【発明の効果】
【００１１】
本発明によれば、データを多く記憶でき、かつ、正常に動作可能な温度範囲の広い安価なデータ処理装置を提供できる。
【図面の簡単な説明】
【００１２】
【図１】本発明の実施形態に係る計器装置の構成を示すブロック図である。
【図２】本発明の実施形態に係る計器装置で使用される多言語データと言語の関係を示す図である。
【図３】（ａ）および（ｂ）は、本発明の実施形態に係る計器装置に表示される画像の例である。
【図４】（ｃ）および（ｄ）は、本発明の実施形態に係る計器装置に表示される画像の他の例である。
【図５】（ｄ）および（ｅ）は、本発明の実施形態に係る計器装置に表示される画像の他の例である。
【図６】本発明の実施形態に係る計器装置で実行される画像表示等処理の一例を示すフローチャートである。
【発明を実施するための形態】
【００１３】
以下、本発明の実施形態に係るデータ処理装置について、図１〜６を参照して説明する。本発明の実施の形態に係るデータ処理装置は、車両内に設置された計器装置１００である。
【００１４】
図１に示すように、計器装置１００は、制御部１１０と、第１記憶部１２０と、第２記憶部１３０と、表示部１４０と、スイッチ部１５０と、温度計測部１６０と、操作部１７０と、を備える。
【００１５】
制御部１１０は、図示しないＣＰＵ（Central Processing Unit）などによって構成される。制御部１１０は、第１記憶部１２０に記憶されているアプリケーション（プログラム）に従って、また、第1記憶部１２０に記憶されている所定のデータ（言語データを含む）などを用いて、後述の処理を行うなど、計器装置１００全体を制御する。制御部１１０は、少なくとも一部が、アプリケーション無しで後述の処理の少なくとも一部の処理などを実行する専用回路によって構成されてもよい。
【００１６】
第１記憶部１２０は、データを書き換え可能な不揮発性記憶装置によって構成される。このような不揮発性記憶装置としては、例えば、ＥＥＰＲＯＭ（Electrically Erasable Programmable Read-Only Memory）、フラッシュメモリなどの不揮発性半導体記憶装置がある。この実施形態では、第１記憶部１２０は、制御部１１０のメインメモリとして動作する。
【００１７】
第１記憶部１２０は、制御部１１０が実装するアプリケーション、表示用言語データ（表示部１４０に表示する画像に含まれる文字列の表示に使用される表示用言語データ及び、言語切り替え用言語データ）、制御部１１０が使用する意匠データ（表示部１４０に表示する画像の文字以外の背景、枠などの意匠の表示に使用されるデータ）などを格納する。
【００１８】
言語データは、その言語について予め用意された１種類以上の文字列（１以上の文字からなるものであり、単語、文章なども含む。）を表す１以上の文字データからなる。文字は、数字などを含むものであってもよい。１種類の文字列を表す文字データを１つの文字データとする。つまり、文字列の種類の数と、文字データの数とは、同じである。文字データは、テキスト形式のデータであっても、画像形式のデータであってもよい（失敗表示用データも同様）。
多言語データは、複数の国毎の複数の言語データから構成される（図２参照）。
【００１９】
第１記憶部１２０は、多言語データのうち、英語の言語データＡを表示用言語データとして予め記憶する。また、第１記憶部１２０は、表示用言語データの他に、もう１種類の言語データを言語切り替え用言語データとして記憶する領域が確保されている。
【００２０】
第２記憶部１３０は、データを書き換え可能な不揮発性記憶装置によって構成される。このような不揮発性記憶装置としては、例えば、ＥＥＰＲＯＭ、フラッシュメモリなどの不揮発性半導体記憶装置がある。
【００２１】
第２記憶部１３０は、多言語データを格納する。
【００２２】
第１記憶部１２０と第２記憶部１３０とは、それぞれ、異なる範囲の動作保証温度範囲を有する。動作保証温度範囲は、正常に動作可能な温度範囲を示すものである。この動作保証温度範囲は、例えば、各記憶部を製造するメーカが保証している温度範囲である。この実施の形態では、第１記憶部１２０の動作保証温度範囲は、−４０℃〜１２５℃である。第２記憶部１３０の動作保証温度範囲は、−２０℃〜８５℃である。この実施の形態では、第１記憶部１２０の動作保証温度範囲の上限値（１２５℃）が、第２記憶部１３０の動作保証温度範囲の上限値（８５℃）よりも高く、第１記憶部１２０の動作保証温度範囲の下限値（−４０℃）が、第２記憶部１３０の動作保証温度範囲の下限値（−２０℃）よりも低くなっている。
【００２３】
さらに、この実施の形態では、第１記憶部１２０と第２記憶部１３０とは、それぞれ、異なる記憶容量を有する。具体的には、第１記憶部１２０は、１２８ＭＢの記憶容量を有し、第２記憶部１３０は、５１２ＭＢの記憶容量を有する。つまり、第２記憶部１３０の方が第1記憶部１２０よりも記憶容量が大きい。
【００２４】
表示部１４０は、制御部１１０の制御のもとで所定の画像を表示するものであり、液晶ディスプレイや有機ＥＬ（Electro- Luminescence）ディスプレイなどの表示装置によって構成される。
【００２５】
スイッチ部１５０は、トランジスタを用いたスイッチング回路などから構成され、制御部１１０の制御のもと、図示しない電源から第２記憶部１３０への電力の共有・非供給を切り替える（オンのときに供給で、オフのときに非供給）。
【００２６】
温度計測部１６０は、第２記憶部１３０自体又は第２記憶部１３０周辺の温度を計測するものであり、各種温度センサなどからなる。温度計測部１６０は、計測した温度を制御部１１０に供給する（例えば、第２記憶部１３０自体又は第２記憶部１３０周辺の温度に応じた電圧値の電気信号を供給するなど）。
【００２７】
操作部１７０は、各種操作スイッチなどから構成され、ユーザ（車両の運転者など）の操作を受け付け、受け付けた操作に応じた操作信号を制御部１１０に供給する。この実施の形態では、特に、表示部１４０に表示される画像の文字の言語を指定する操作、および、後述する表示切り替え失敗時における再開要求を指定する操作が操作部１７０に入力される。
【００２８】
ＥＣＵ（Electronic
Control Unit）５０は、車両の車速や、残燃料などを、各種センサを用いて計測し、計測した車速や残燃料の値を制御部１１０に供給する。
【００２９】
次に、制御部１１０の主な動作を説明する。制御部１１０は、図６に示す画像表示等処理を行う。この処理は、例えば、車両のイグニッションスイッチがオンになったことに応じて開始され、イグニッションスイッチがオフになったことに応じて終了する。また、以下では、第１記憶部１２０に、表示用言語データとして英語の言語データＡ（図２参照）が記憶され、言語切り替え用言語データは記憶されていない。なお、言語データＡからＧからなる多言語データ（図２参照）を第２記憶部１３０に既往している。
【００３０】
制御部１１０は、まず、各種設定値の初期化を行う（ステップＳ１）。
具体的には、後述する言語切り替え再開設定をオフ（言語切り替えの再開要求がない）とし、後述するスイッチ部１５０をオフ（電源から第２記憶部１３０への電力を非供給）とする。
【００３１】
次に、制御部１１０は、ＥＣＵ５０から供給された車速及び残燃料の値を、表示部１４０に表示する画像として、第１記憶部１２０に記憶された表示用言語データ及び意匠データを用いて構成する（ステップＳ２）。例えば、表示用言語データとして英語の言語データＡが設定されている場合は、図３（ａ）のように、英語による表記に合わせた画像を構成し、表示用言語データとして日本語の言語データＢが設定されている場合は、図３（ｂ）のように、日本語による表記に合わせた画像を構成する。
【００３２】
表示部１４０に表示する画像の構成が終わると、制御部１１０は、表示部１４０に当該画像を表示する（ステップＳ３）。
【００３３】
次に、制御部１１０は、直前に失敗した、後述する表示部に表示される画像の文字の言語を切り替える言語切り替えを再開する必要があるかを判別する（ステップＳ４）。具体的には、言語切り替えの再開要求の操作があり、且つ、温度計測部１６０から供給される計測温度（第２記憶部１３０自体又は第２記憶部１３０周辺の温度に応じた電気信号などによって表される温度）が、第２記憶部１３０の動作保証温度範囲内であることを満たす場合を、再開する必要があると判別する。
【００３４】
再開する必要がない場合、制御部１１０は、表示部に表示される画像の文字の言語を切り替える言語切り替え要求の操作があったかを判別する（ステップＳ５）。
例えば、制御部１１０は、表示部１４０に表示される画像の文字の言語を指定する操作を示す操作信号の供給が操作部１４０からあった場合に、切り替え要求の操作があったと判別する。例えば、最初に操作部１７０から言語の指定を開始する操作を示す操作信号が供給されると、制御部１１０は、選択可能な言語一覧を表示し、選択された言語のうちのいずれかを選択する操作を示す操作信号が供給されると、表示部１４０に表示される画像の文字の言語の切り替え要求があったとしてもよい。このような切り替え要求は、例えば、レンタカーのユーザがレンタカーを運転し始める前に計器装置１００の使用言語が理解できない場合に、表示部１４０に表示される表示言語を理解できるものに切り替えるためにユーザによって行われる。
【００３５】
言語切り替え要求があった場合（ステップＳ５；Ｙ）、制御部１１０はスイッチ部１５０をオンとして、電源から第２記憶部１３０に電力を供給させる、つまり、第２記憶部１３０を動作させ、要求されている国の言語の言語データを第２記憶部１３０から読み出して、第１記憶部１２０へ言語切り替え用言語データとして記憶させ、記憶を終えると、スイッチ部１５０をオフとして、電源から第２記憶部１３０への電力供給を遮断する。（ステップＳ７）。
なお、当該切り替え用言語データへの記憶中に、温度計測部１６０から供給される計測温度（第２記憶部１３０自体又は第２記憶部１３０周辺の温度に応じた電気信号などによって表される温度）が、第２記憶部１３０の動作保証温度範囲外となった場合、即座に処理は中断され、スイッチ部１５０をオフとして、電源から第２記憶部１３０への電力供給を遮断する。
一方、当該切り替え用言語データへの記憶が正常に終了した場合、表示用言語データと、切り替え用言語データとの取扱いを切り替える。具体的には、表示用言語データに英語の言語データＡが記憶されており、新たに切り替え用言語データへの日本語の言語データＢの記憶が正常に終了すると、互いの取り扱いが切り替わり、以降は表示用言語データに日本語の言語データＢが記憶され、切り替え用言語データに英語の言語データＡが記憶されているものとして扱う。これにより言語切り替えが正常に終了する。
【００３６】
次に、制御部１１０は、言語切り替えが正常に終了したかを判断する。
言語切り替えが正常に終了していた場合（ステップＳ８；Ｙ）は、再びステップＳ１より処理を実行する。
【００３７】
言語切り替え要求の操作が無いなどして、言語切り替え要求がない場合（ステップＳ５；Ｎ）、制御部１１０は、再び、ステップＳ２より処理を実行する。
【００３８】
言語切り替えが正常に終了しなかった場合（ステップＳ８；Ｎ）、制御部１１０は、表示用言語データの言語によって、言語切り替えが失敗したことを示す失敗報知画像１４０ａを表示部１４０に表示する（ステップＳ９）。具体的には、表示用言語データに英語の言語データＡが記憶されている場合には、図４（ｃ）のように、英語による表記で表示し、表示用言語データに日本語の言語データＢが記憶されている場合には、図４（ｄ）のように、日本語による表記で表示する。
【００３９】
失敗報知画像１４０ａの表示をした後、制御部１１０は、表示部に表示される画像の文字の言語を切り替える言語切り替えの再開要求をユーザに入力させる（ステップＳ１０）。制御部１１０は、表示用言語データの言語を用いて、再開要求の有無を問いかける文字列を表示部１４０に表示した上で、操作部１７０によって再開要求を入力するものであってもよい。
ステップＳ１０の処理の後は、再びステップＳ２の処理が実行される。
【００４０】
言語切り替えの再開要求が入力された場合、ステップＳ４にて、温度計測部１６０から供給される計測温度（第２記憶部１３０自体又は第２記憶部１３０周辺の温度に応じた電気信号などによって表される温度）が、第２記憶部１３０の動作保証温度範囲内であると（ステップＳ４；Ｙ）、制御部１１０は、表示用言語データの言語を用いて、言語切り替えを再開することを示す再開報知画像１４０ｂを表示部１４０に表示する（ステップＳ６）。具体的には、表示用言語データに英語の言語データＡが記憶されている場合には、図５（ｅ）のように、英語による表記で表示し、表示用言語データに日本語の言語データＢが記憶されている場合には、図５（ｆ）のように、日本語による表記で表示する。
再開報知画像１４０ｂの表示をした後、制御部１１０は、直前に中断した要求されている国の言語の言語データへ言語切り替え（ステップＳ７）を再び実行する。
【００４１】
以上のような処理の繰返しによって、言語切り替え要求、または、言語切り替え再開要求があるまでは、現在設定されている言語の文字での表示（第１記憶部１２０に記憶されている表示用言語データでの表示）が行われる。このとき、ステップＳ２によって、画像は随時更新されるので、ステップＳ３において表示部１４０に表示される車速や残燃料は、リアルタイムで更新される。
【００４２】
また、言語切り替え要求があったときには、現在の第２記憶部１３０自体又は第２記憶部１３０周辺の温度が第２記憶部１３０の動作保証温度範囲内である場合には、制御部１１０は、第１記憶部１２０に記憶された言語データを更新し（言語切り替え要求で要求されている言語の言語データを第１記憶部１２０に記憶させ）、表示部１４０に表示される画像の文字の言語を切り替えることができる。
一方、第１記憶部１２０に記憶された言語データの更新途中で、現在の第２記憶部１３０自体又は第２記憶部１３０周辺の温度が第２記憶部１３０の動作保証温度範囲外となった場合には、制御部１１０は、第1記憶部に記憶された言語データの更新（言語切り替え要求で要求されている言語の言語データを第１記憶部に記憶させること）を中断し、言語切り替えが失敗したことを示す失敗報知画像１４０ａを表示した後、ユーザに再開要求を入力させる。再開要求があった場合には、現在の第２記憶部１３０自体又は第２記憶部１３０周辺の温度が第２記憶部１３０の動作保証温度範囲内になると（ステップＳ４；Ｙ）、再開することを示す再開報知画像１４０ｂを表示し（ステップＳ６）、第1記憶部に記憶された言語データの更新（前回の言語切り替え要求で要求されていた言語の言語データを第１記憶部に記憶させること）が再開される（ステップＳ７）。
このような構成をとることで、言語切り替え中に第２記憶部１３０が正常に動作できない温度環境になった場合においても、計器装置１００は正常に動作できる。
【００４３】
また、第１記憶部１２０の第１の動作保証温度範囲よりも、第２記憶部１３０の第２の動作保証温度範囲の方が狭くなっているため、第２記憶部１３０は第１記憶部１２０に比べて安価になっている。つまり、第２記憶部１３０の記憶容量を第１記憶部１２０の記憶容量よりも大きくすることで、より、データを記憶する部分を安価にできる。
【００４４】
従来の特許文献１に係る技術では、例えば、使用できる言語数を限定するなどにより、不揮発性記憶装置の容量を小さくし、且つ、仕向け毎に計器装置自体のバリエーションを増やすことで、バリエーション毎に見れば、計器装置のコストを低減することも可能である。しかし、このように計器装置の種類を増やすと管理工数の増加が避けられず、また、ユーザの視点で考えると、使用可能な言語数が減少すれば、言語制定のフレキシビリティーが失われ、満足度が低下してしまう。また、記憶装置の容量を小さくし、且つ、車内ＬＡＮが車内ＬＡＮとして一般的なＣＡＮ（Controller Area Network）では、通信速度が遅く、書き換え時間が長くなる。こうなると、電源供給の遮断や入力電圧の低下により、書き換えを失敗するリスクが発生する恐れがある。このリスクを軽減するためには、高速な高速信号による電磁的な不干渉性（ＥＭＣ（Electro-Magnetic Compatibility））が懸案となってしまう。
一方、本実施形態に係る計器装置１００によれば、上記した構成で、言語選定のフレキシビリティーを保ちつつ、正常に動作可能な温度範囲の広い安価なデータ処理装置を提供することができる。そのため、上記問題を軽減又は無くすことができる。
【００４５】
本発明は、上記実施形態に限られず、上記実施形態に種々の変形を行うことが可能である。
【００４６】
例えば、上記では、第１記憶部１２０に予め英語の言語データＡを表示用言語データとして記憶しておいたが、これに限らず、出荷する国に合わせて適切な言語データとしてもよい。
【００４７】
また、言語切り替えが失敗したときに、ユーザの再開要求の入力なしに、常に自動的に再開するような構成としてもよい。
【００４８】
なお、例えば、上記では、扱うデータが言語データであったが、他のデータであってもよい。
【００４９】
および、例えば、本発明に係るデータ処理装置は、計器装置以外のものであってもよい。本発明に係るデータ他処理装置は、乗り物に搭載される計器装置や、乗り物に搭載されているカーナビゲーション装置などであってもよい。また、乗り物に搭載されるものでなくてもよい。なお、乗り物（特に車両）内に搭載された計器装置やカーナビゲーション装置は、乗り物（特に車両）内の温度に影響されて、内部が高温になりやすいので、本発明を適用することが有益である。
【符号の説明】
【００５０】
１００    …計器装置
１１０    …制御部
１２０    …第１記憶部
１３０    …第２記憶部
１４０    …表示部
１４０ａ  …失敗報知画像
１４０ｂ  …再開報知画像
１５０    …スイッチ部
１６０    …温度計測部
１７０    …操作部
【図１】
2015046077.tif 000003
【図２】
2015046077.tif 000004
【図３】
2015046077.tif 000005
【図４】
2015046077.tif 000006
【図５】
2015046077.tif 000007
【図６】
2015046077.tif 000008